(57)【要約】  動力工具（１）は、工具（３）と、工具（３）に動力を供給するように構成された動力源（５）と、スロットルレバー（７）と、回路基板（９）と、回路基板（９）に配置された構成要素（１５、１７、１９）を具備するヒューマンマシンインターフェース（１０）と、を具備する動力工具（１）が開示される。動力工具（１）は、スロットルレバー（7）に動作可能に接続された磁石（１１）と、磁石（１１）の磁場の強度を検知するように構成されたセンサ装置（１３）と、を更に具備する。センサ装置（１３）は、回路基板（９）に配置される。【選択図】  図１
2021530364.tif 000002
【特許請求の範囲】
【請求項１】
工具（３）と、
前記工具（３）に動力を供給するように構成された動力源（５）と、
スロットルレバー（７）と、
回路基板（９）と、
前記回路基板（９）に配置された構成要素（１５、１７、１９）を具備する、ヒューマンマシンインターフェース（１０）と、
前記スロットルレバー（７）に動作可能に接続された磁石（１１）と、
前記磁石（１１）の磁場の強度を検知するように構成されたセンサ装置（１３）と、を具備する、動力工具（１）において、
前記センサ装置（１３）は、前記回路基板（９）に配置される、動力工具（１）。
【請求項２】
前記ヒューマンマシンインターフェース（１０）の構成要素（１５、１７、１９）が、前記回路基板（９）の第１の側部（９'）に配置されており、更に前記磁石（１１）は、前記回路基板（９）の第２の側部（９”）において、前記回路基板（９）から離間して配置される、請求項１に記載の動力工具（１）。
【請求項３】
前記センサ装置（１３）は、前記回路基板（９）の前記第２の側部（９”）に配置される、請求項２に記載の動力工具（１）。
【請求項４】
前記センサ装置（１３）は、第１の検知方向（ｄ１）及び第２の検知方向（ｄ２）沿って前記磁石（１１）の前記磁場の強度を検知するように構成され、
第２の検知方向（ｄ２）は、前記第１の検知方向（ｄ１）とは異なる、請求項１〜３のうちいずれか１項に記載の動力工具（１）。
【請求項５】
前記第１の検知方向（ｄ１）は、前記磁石（１１）の移動経路（ｔｐ）の方向（ｄｔ）と実質的に一致する方向に伸びる、請求項４に記載の動力工具（１）。
【請求項６】
前記回路基板（９）は、第２の平面（ｐ２）内において広がり、そして前記第２の検知方向（ｄ２）は、前記第２の平面（ｐ２）を通り伸びる、請求項４又は５に記載の動力工具（１）。
【請求項７】
前記ヒューマンマシンインターフェース（１０）の構成要素（１５、１７、１９）は、１つ以上のボタン（１５）を具備する、請求項１〜６のうちいずれか１項に記載の動力工具（１）。
【請求項８】
前記ヒューマンマシンインターフェース（１０）の構成要素（１５、１７、１９）は、キーパッド（１７）を具備する、請求項１〜７のうちいずれか１項に記載の動力工具（１）。
【請求項９】
前記ヒューマンマシンインターフェース（１０）の構成要素（１５、１７、１９）は、ディスプレイ（１９）を具備する、請求項１〜８のうちいずれか１項に記載の動力工具（１）。
【請求項１０】
前記スロットルレバー（７）は、非作動位置と作動位置との間で変位可能であり、
前記動力工具（１）は、前記スロットルレバー（７）が非作動位置から変位した時に信号を生成するように構成された、機械的スイッチ（２１）を具備する、請求項１〜９のうちいずれか１項に記載の動力工具（１）。
【請求項１１】
前記スロットルレバー（７）は、非作動位置と作動位置との間で変位可能であり、
前記非作動位置から前記作動位置へ向かって前記スロットルレバー（７）が変位すると、前記磁石（１１）の磁場が、前記センサ装置（１３）の位置において及び前記センサ装置（１３）の少なくとも１つの検知方向（ｄ、ｄ１、ｄ２）において、極性を変化させるように、前記磁石（１１）及び前記センサ装置（１３）は配置される、請求項１〜１０のうちいずれか１項に記載の動力工具（１）。
【請求項１２】
作動位置は、完全に作動された位置であり、
前記スロットルレバー（７）が前記非作動位置と前記作動位置との間において前記スロットルレバー（７）の全移動長の５％〜２０％の範囲内で変位する時に、前記磁石（１１）の磁場が、前記センサ装置（１３）の位置において及び前記センサ装置（１３）の少なくとも１つの検知方向（ｄ、ｄ１、ｄ２）において、極性を変化させるように、前記磁石（１１）及び前記センサ装置（１３）は配置される、請求項１１に記載の動力工具（１）。
【請求項１３】
前記磁石（１１）は、第１の端点と第２の端点（ｅｐ１、ｅｐ２）との間の移動方向（ｄｍ）において移動可能に配置されており、
前記移動方向（ｄｍ）における前記磁石（１１）の長さ（Ｌ）は、前記第１の端点と第２の端点（ｅｐ１、ｅｐ２）の間の前記磁石（１１）の移動距離（２３）の、５０％〜３００％の範囲内、例えば１００％〜２００％の範囲内、にある、請求項１〜１２のうちいずれか１項に記載の動力工具（１）。
【請求項１４】
前記回路基板（９）は、第２の平面（ｐ２）において広がり、前記磁石（１１）は、第３の平面（ｐ３）において移動可能に配置されており、更に前記第３の平面（ｐ３）は、前記第２の平面（ｐ２）に実質的に平行である、請求項１〜１３のうちいずれか１項に記載の動力工具（１）。
【請求項１５】
前記磁石（１１）は、弧に沿って移動可能に配置される、請求項１〜１３のうちいずれか１項に記載の動力工具（１）。
【請求項１６】
前記磁石（１１）は、第１の端点（ｅｐ１）と第２の端点（ｅｐ２）との間において移動可能に配置されており、そして前記動力工具（１）は、前記磁石（１１）を前記第１の端点（ｅｐ１）に向かって付勢するように配置された、ばね（２５）を具備する、請求項１〜１５のうちいずれか１項に記載の動力工具（１）。
【請求項１７】
前記動力工具（１）は、密閉された筐体（２７）を具備しており、
前記回路基板（９）は、前記密閉された筐体（２７）内に配置される、請求項１〜１６のうちいずれか１項に記載の動力工具（１）。
【請求項１８】
前記磁石（１１）は、前記密閉された筐体（２７）の外側に配置される、請求項１７に記載の動力工具（１）。
【請求項１９】
前記センサ装置（１３）は、各々が前記磁石（１３'）の磁場の強度を検知するように構成される、少なくとも２つのセンサ（１３'、１３”）を具備する、請求項１〜１８のうちいずれか１項に記載の動力工具（１）。
【請求項２０】
前記磁石（１１）は、移動経路（ｔｐ）に沿って移動可能に配置されており、
前記少なくとも２つのセンサ（１３'、１３”）は、移動経路（ｔｐ）に実質的に垂直な第１の平面（ｐ１）に配置される、請求項１９に記載の動力工具（１）。
【請求項２１】
前記磁石（１１）の前記移動経路（ｔｐ）と一致する点（ｐｔ）において前記第１の平面（ｐ１）で測定される、前記少なくとも２つのセンサ（１３'、１３”）の内の２つのセンサ（１３'、１３”）の間の角度（ａ１）は、約９０度又は約１８０度である、請求項２０に記載の動力工具（１）。
【請求項２２】
前記センサ装置（１３）は、３つのセンサ（１３‘、１３“、１３”’）を具備しており、
前記磁石（１１）の前記移動経路（ｔｐ）と一致する点（ｐｔ）において前記第１の平面（ｐ１）で測定される、前記３つのセンサ（１３‘、１３“、１３”’）の内の２つの隣接するセンサ（１３’、１３“、１３”’）間の角度（ａ２）は、約９０度又は約１２０度である、請求項２０に記載の動力工具（１）。
【請求項２３】
前記ヒューマンマシンインターフェース（１０）及び前記スロットルレバー（７）は、前記動力工具（１）の位置に配置され、片手で前記ヒューマンマシンインターフェース（１０）と前記スロットルレバー（７）とを、ユーザーが同時に操作することを可能にする、請求項１〜２２のうちいずれか１項に記載の動力工具（１）。
【請求項２４】
前記動力工具（１）は、前記センサ装置（１３）からのデータに基づいて前記スロットルレバー（７）の位置を監視するように構成された、制御ユニット（２９）を具備する、請求項１〜２３のうちいずれか１項に記載の動力工具（１）。
【請求項２５】
前記制御ユニット（２９）は、前記回路基板（９）に配置される、請求項２４に記載の動力工具（１）。
【請求項２６】
前記センサ装置（１３）は、少なくとも２つのセンサ（１３ '、１３”）を具備しており、
前記制御ユニット（２９）は、前記少なくとも２つのセンサ（１３‘、１３“）からのデータを使用して、非作動位置からの前記スロットルレバー（７）の変位を検出するように構成される、請求項２４又は２５に記載の動力工具（１）。
【請求項２７】
前記動力工具（１）は、動力源制御装置（３１）を具備し、
前記制御ユニット（２９）は、前記動力源制御装置に動作可能に接続され、
前記動力源制御装置（３１）は、前記スロットルレバー（７）の監視された位置に応じて、前記動力源（５）の動力を制御するように構成される、請求項２４〜２６のうちいずれか１項に記載の動力工具（１）。
【請求項２８】
前記動力工具（１）は、電子通信バス（３２）を具備しており、そこでは
前記制御ユニット（２９）は、前記電子通信バス（３２）を介して前記動力源制御装置（３１）に動作可能に接続する、請求項２７に記載の動力工具（１）。
【請求項２９】
前記制御ユニット（２９）は、マイクロプロセッサ（３３）を具備する、請求項２４〜２８のうちいずれか１項に記載の動力工具（１）。
【請求項３０】
前記マイクロプロセッサ（３３）は、前記ヒューマンマシンインターフェース（１０）に動作可能に接続する、請求項２９に記載の動力工具（１）。
【請求項３１】
前記回路基板（９）は、前記センサ装置（１３）と前記マイクロプロセッサ（３３）との間においてデータを伝送するように構成された、電子通信バス（３５）を具備する、請求項２９又は３０に記載の動力工具（１）。
【請求項３２】
前記ヒューマンマシンインターフェース（１０）は、マイクロコントローラ（３７）を具備しており、そして前記回路基板（９）は、ヒューマンマシンインターフェース（１０）の前記マイクロコントローラ（３７）と前記マイクロプロセッサ（３３）との間でデータを伝送するように構成された、電子通信バス（３９）を具備する、請求項３０に記載の動力工具（１）。
【請求項３３】
前記回路基板（９）は、外部通信ユニット（４３）との間でデータを送受信するように構成された、無線通信ユニット（４１）を具備する、請求項１〜３２のうちいずれか１項に記載の動力工具（１）。
【請求項３４】
前記回路基板（９）は、少なくとも選択的に前記回路基板（９）に電力を供給するように構成された、電池（４５）を具備する、請求項１〜３３のうちいずれか１項に記載の動力工具（１）。
【発明の詳細な説明】
【技術分野】
【０００１】
本開示は、回路基板を具備する、動力工具に関する。
【背景技術】
【０００２】
今日、市場において入手可能な多くの種類の動力工具が存在する。例としては、チェーンソー、丸鋸、トリマー、ヘッジトリマー、芝刈り機、リーフブロワ、マルチツール、除雪機等がある。動力工具は、例えば、産業において、建設において、庭において、家事作業用に、及び留め具の打ち込み、穴あけ、切断、成形、研磨、研削、ルーティング（ｒｏｕｔｉｎｇ）、艶出し、塗装、加熱等の目的で家の周りにおいて、使用される。
【０００３】
動力工具の一般的な特徴は、それらが単に手作業以外の動力源により駆動可能な工具を具備することである。動力源は、例えば、電気モータ、空圧モータ、燃焼機関等を具備してもよい。通常、動力工具は、動力源により出力される動力をユーザーが制御できるようにする、スロットルレバーを具備する。多くの解決策は、スロットルレバーの位置を示すためのポテンショメータを利用する。しかし、その様な解決案は、幾つかの問題及び欠点に関連する。例としては、耐久性及び信頼性である。
【０００４】
最新の動力工具は、動力工具の使用を容易にし及び／又は動力工具の使用期間の結果を改善できる、様々な特徴及び機能を備えることができる。しかし、これらの特徴及び機能の多くは、動力工具のコストを上げ、より複雑化する。一例として、１つ以上の特徴及び機能を追加するには、通常、幾つかの電気部品と、電気ケーブル等の電気接続部と、を追加する必要がある。
【０００５】
動力工具を設計する時に対処されてもよい、問題が更に幾つか存在する。上に示したように、１つの問題は信頼性である。つまり、動力工具は通常、埃、瓦礫、水、振動等が多い過酷な環境で動作する。従って、動力工具を設計する場合には、動力工具の耐久性及び信頼性を確保することが好ましい。１つ以上の特徴及び機能を追加することにより、動力工具の耐久性及び信頼性が損なわれる可能性もある。対処できる可能性のある更なる問題は、使い易さである。例えば、もしユーザーが人間工学的且つ直感的な方法で動力工具を操作できるように、動力工具が設計される場合には、それは有利である。
【０００６】
更に、一般的に、今日の消費者市場において、もし動力工具等の製品が、費用効果の高い方法で製造され且つ組み立てられることに適した条件及び／又は特性を有する場合には有利である。
【発明の概要】
【発明が解決しようとする課題】
【０００７】
本発明の目的は、上述の問題及び欠点の少なくとも幾つかを克服するか、又は少なくとも軽減することである。
【課題を解決するための手段】
【０００８】
本発明の第１の形態によれば、その目的は、工具と、工具に動力を供給するように構成された動力源と、スロットルレバーと、回路基板と、前記回路基板に配置された構成要素を具備する、ヒューマンマシンインターフェース（ｈｕｍａｎ  ｍａｃｈｉｎｅ  ｉｎｔｅｒｆａｃｅ）と、を具備する動力工具により実現される。動力工具は、スロットルレバーに動作可能に接続する磁石と、磁石の磁場の強度を検知するように構成されたセンサ装置（ｓｅｎｓｏｒ  ａｒｒａｎｇｅｍｅｎｔ）と、を更に具備する。センサ装置は、回路基板に配置される。
【０００９】
動力工具は、スロットルレバーに動作可能に接続する磁石と、磁石の磁場の強度を検知するように構成されたセンサ装置とを具備するので、スロットルレバーの位置の検知は正確であり、強靭且つ長持ちする。更に、動力工具が、回路基板に配置された構成要素を具備する、ヒューマンマシンインターフェースを具備し、更にセンサ装置が回路基板に配置されるので、動力工具を大幅にコスト増加及び複雑化することなく、幾つかの特徴及び機能のための条件を有する、動力工具が提供される。更に、これらの特徴により、費用効果の高い方法を用いた製造且つ組み立てに適した条件と特性とを有する、動力工具が提供される。
【００１０】
更に、スロットルレバーの位置が、磁石の磁場の強さを検知することにより、即ち非接触の状態で検知されるので、耐埃／耐瓦礫／耐水性のあるケーシング内に回路基板を単に配置することにより、耐埃／耐瓦礫／耐水性の動力工具を得るための条件が提供される。
【００１１】
従って、上記の問題及び欠点の少なくとも幾つかを克服するか又は少なくとも軽減するような、動力工具が提供される。その結果として、上記の目的は達成される。
【００１２】
任意選択で、ヒューマンマシンインターフェースの構成要素は、回路基板の第１の側部に配置されており、磁石は、回路基板の第２の側部において、回路基板から離間して配置される。これにより、動力工具において利用可能な空間が効率的に利用される、動力工具が提供される。これは、ほとんどの場合において、ヒューマンマシンインターフェースは、動力工具の操作中に動力工具のユーザーに面する側に配置されており、スロットルは、動力工具の操作中にユーザーから離れて面する動力工具の側に配置されることによる。従って、ヒューマンマシンインターフェースの構成要素を回路基板の第１の側部に配置し、且つ回路基板の第２の側部において回路基板から磁石を離間して配置することにより、動力工具において利用可能な空間は、効率的な方法で利用される。
【００１３】
任意選択で、センサ装置は、回路基板の第２の側部に配置される。それにより、スロットルレバーの位置を改善された精度で検知できる、動力工具が提供される。更に、回路基板上で利用可能な空間が効率的な方法で利用される、動力工具が提供される。
【００１４】
任意選択で、センサ装置は、第１の検知方向（ｓｅｎｓｉｎｇ  ｄｉｒｅｃｔｉｏｎ）及び第２の検知方向に沿って、磁石の磁場の強度を検知するように構成されており、第２の検知方向は、第１の検知方向とは異なる。それにより、スロットルレバーの位置が、改善された精度で且つ外乱に対してより耐性のある方法で検知される、動力工具が提供される。これは、磁石の磁場を２つの異なる検知方向において検知することにより、組み合わされた検知が、磁場の磁場強度だけでなく、磁場の角度を示すことになるためである。磁場の角度は、変化がより少なく、磁場の磁場強度に比べて、外乱からの影響がより少ない。従って、２つの異なる検知方向において磁石の磁場を検知することにより、スロットルレバーの位置は、改善された精度で且つ外乱に対してより耐性のある方法で検知される。
【００１５】
任意選択で、第１の検知方向は、磁石の移動経路の方向と実質的に一致する方向において伸びる。これにより、スロットルレバーの位置を効率的で且つ信頼性の高い検知することができる。
【００１６】
任意選択で、回路基板は、第２の平面内において広がり、そして第２の検知方向は、第２の平面を通って伸びる。それにより、スロットルレバーの位置を効率的且つ信頼性の高い検知をすることができる。
【００１７】
任意選択で、ヒューマンマシンインターフェースの構成要素は、１つ以上のボタンを具備する。それにより、動力工具を大幅にコスト増加及び複雑化することなく、幾つかの特徴と機能のための条件を有する、動力工具が提供される。これは、回路基板が、磁石の磁場の強度を検知するように構成されたセンサ装置だけでなく、１つ以上のボタンを含む構成要素を具備することによる。
【００１８】
任意選択で、ヒューマンマシンインターフェースの構成要素は、キーパッドを具備する。それにより、動力工具を大幅にコスト増加及び複雑化することなく、幾つかの特徴と機能とのための条件を有する、動力工具が提供される。これは、回路基板が、磁石の磁場の強さを検知するように構成されたセンサ装置だけでなく、キーパッドを含む構成要素を具備することによる。
【００１９】
任意選択で、ヒューマンマシンインターフェースの構成要素は、ディスプレイ（ｄｉｓｐｌａｙ）を具備する。それにより、動力工具を大幅にコスト増加及び複雑化することなく、幾つかの特徴と機能とのための条件を有する、動力工具が提供される。これは、回路基板が、磁石の磁場の強さを検知するように構成されたセンサ装置だけでなく、ディスプレイを含む構成要素を具備することによる。
【００２０】
任意選択で、スロットルレバーは、非作動位置（ｕｎａｃｔｕａｔｅｄ  ｐｏｓｉｔｉｏｎ）と作動位置（ａｃｔｕａｔｅｄ  ｐｏｓｉｔｉｏｎ）との間において変位可能であり、そこでは、動力工具は、スロットルレバーが非作動位置から変位した時に信号を生成するように構成された、機械的スイッチを具備する。それにより、スロットルレバーの非作動位置からの変位について、強靭且つ信頼性の高い検知を行うことができる。
【００２１】
任意選択で、スロットルレバーは、非作動位置と作動位置との間において変位可能であり、そこでは、非作動位置から作動位置に向かってスロットルレバーが変位すると、磁石の磁場が、センサ装置の位置において及びセンサ装置の少なくとも１つの検知方向において極性を変化させるように、磁石及びセンサ装置は配置される。それにより、スロットルレバーの位置を更により正確で強靭且つ信頼性の高い検知をすることができる。これは、磁石の磁場の極性の変化が、磁場の強さの変化に比べて、より正確な方法で検知可能であることによる。
【００２２】
任意選択で、作動位置は、完全に作動された位置であり、そこでは磁石及びセンサ装置は、スロットルレバーが非作動位置と作動位置の間においてスロットルレバーの全移動長の５％〜２０％の範囲内で変位した時に、磁石の磁場が、センサ装置の位置において及びセンサ装置の少なくとも１つの検知方向において、極性を変化させるように配置される。それにより、非作動位置からのスロットルレバーの変位の更により正確で強靭且つ信頼性の高い検知が提供される。これは、磁石の磁場の極性の変化が、磁場の強さの変化に比べて、より正確な方法で検知可能であることによる。これらの特徴の別の結果として、より安全な動力工具が提供可能である。
【００２３】
任意選択で、磁石は、第１の端点と第２の端点との間の移動方向において移動可能に配置されており、そこでは移動方向における磁石の長さは、第１の端点と第２の端点の間の磁石の移動距離の、５０％〜３００％の、例えば１００％〜２００％等の、範囲内にある。それにより、スロットルレバーの位置の更により正確で強靭且つ信頼性の高い検知が提供される。
【００２４】
任意選択で、回路基板は第２の平面内において広がり、そして磁石は、第３の平面内において移動可能に配置されており、そこでは、第３の平面は、第２の平面に実質的に平行である。それにより、動力工具において利用可能な空間が効率的な方法で利用されながら、スロットルレバーの位置の更により正確で強靭且つ信頼性の高い検知をすることができる。
【００２５】
任意選択で、磁石は、弧に沿って移動可能に配置される。それにより、スロットルレバーの位置の正確で強靭且つ信頼性の高い検知をすることができると共に、動力工具をコスト効率の高い方法で製造して組み立てる条件が提供される。
【００２６】
任意選択で、磁石は、回転可能に配置される。それにより、スロットルレバーの位置の正確で強靭且つ信頼性の高い検知をすることができると共に、動力工具をコスト効率の高い方法で製造して組み立てる条件が提供される。
【００２７】
任意選択で、磁石は、車輪として形成される。それにより、スロットルレバーの位置の正確で強靭且つ信頼性の高い検知をすることができると共に、動力工具をコスト効率の高い方法で製造して組み立てる条件が提供される。
【００２８】
任意選択で、磁石は、第１の端点と第２の端点との間において移動可能に配置されており、そこでは動力工具は、磁石を第１の端点に向かって付勢するように配置された、ばねを具備する。それにより、費用対効果の高い方法で製造して組み立てることに適した条件と特性とを有する、シンプルで安全な動力工具が提供される。
【００２９】
任意選択で、動力工具は密閉された筐体を具備しており、そこでは回路基板は、密閉された筐体内に配置される。それにより、シンプル且つ費用効果の高い方法で、埃、瓦礫及び／又は水に対してより耐性のある、動力工具が提供される。
【００３０】
任意選択で、磁石は、密閉された筐体の外側に配置される。磁石は、密閉された筐体の外側に配置されるので、機械的連結部等の必要性はなく、密閉された筐体を通って伸びる。従って、簡単で且つ費用効果の高い方法で、埃、瓦礫、及び／又は水に対してより耐性のある動力工具が提供される。
【００３１】
任意選択で、センサ装置は、少なくとも２つのセンサを具備しており、各々は、磁石の磁場の強度を検知するように構成される。それにより、スロットルレバーの位置の更により正確且つ強靭な検知をすることができる。更に、外乱に対してより耐性のあるセンサ装置が提供される。
【００３２】
任意選択で、磁石は、移動経路に沿って移動可能に配置されており、そこでは少なくとも２つのセンサは、移動経路に実質的に垂直な第１の平面に配置される。それにより、スロットルレバーの位置の更により正確且つ強靭な検知をすることができる。更に、外乱に対してより耐性のあるセンサ装置が提供される。
【００３３】
任意選択で、磁石の移動経路と一致する点において第１の平面で測定された、少なくとも２つのセンサの内の２つのセンサ間の角度は、約９０度又は約１８０度である。それにより、スロットルレバーの位置の更により正確且つ強靭な検知をすることができる。更に、外乱に対してより耐性のあるセンサ装置が提供される。
【００３４】
任意選択で、センサ装置は、３つのセンサを具備しており、そこでは磁石の移動経路と一致する点において第１の平面で測定された、３つのセンサの内の２つの隣接するセンサ間の角度は、約９０度又は約１２０度である。それにより、スロットルレバーの位置の更により正確且つ強靭な検知をすることができる。更に、外乱に対してより耐性のあるセンサ装置が、提供される。
【００３５】
任意選択で、ヒューマンマシンインターフェース及びスロットルレバーは、ユーザーが片手でヒューマンマシンインターフェースとスロットルレバーとを同時に操作することを可能にする、動力工具の位置に配置される。それにより、人間工学的で且つ使い易い動力工具が、費用効果の高い方法で提供される。更に、直感的な方法で使用されるための条件と特性とを有する、動力工具が提供される。
【００３６】
任意選択で、動力工具は、センサ装置からのデータに基づいて、スロットルレバーの位置を監視するように構成された、制御ユニットを具備する。それにより、スロットルレバーの位置の正確、強靭且つ信頼性の高い監視をすることができると共に、動力工具をコスト効率の高い方法で製造して組み立てる条件が、提供される。
【００３７】
任意選択で、制御ユニットは、回路基板に配置される。それにより、スロットルレバーの位置の正確、強靭且つ信頼性の高い監視をすることができる共に、動力工具をコスト効率の高い方法で製造して組み立てる条件が、提供される。
【００３８】
任意選択で、センサ装置は、少なくとも２つのセンサを具備しており、そこでは制御ユニットは、少なくとも２つのセンサからのデータを使用して、非作動位置からのスロットルレバーの変位を検出するように構成される。それにより、非作動位置からのスロットルレバーの変位の更により正確、強靭且つ信頼性の高い検知をすることができる。別の結果として、より安全な動力工具は、費用効果の高い方法で提供可能である。
【００３９】
任意選択で、動力工具は、動力源制御装置を具備しており、そこでは、制御ユニットが動力源制御装置に動作可能に接続しており、動力源制御装置は、スロットルレバーの監視された位置に応じて動力源の動力を制御するように構成される。それにより、動力源の動力を正確に、強靭に且つ高い信頼性で制御できると共に、コスト効率の高い方法で動力工具を製造して組み立てる条件が、提供される。
【００４０】
任意選択で、動力工具は、電子通信バスを具備しており、そこでは制御ユニットは、電子通信バスを介して動力源制御装置に動作可能に接続する。それにより、動力源の動力を正確に、強靭に且つ高い信頼性で制御できると共に、更によりコスト効率の高い方法で動力工具を製造して組み立てる条件が提供される。これは、電子通信バスが、動力工具において必要な電気接続部の数を減少させることによる。更に、動力工具のコストと複雑化を大幅に引き上げることなく、幾つかの特徴と機能とを追加するための条件を有する、動力工具が提供される。
【００４１】
任意選択で、制御ユニットは、マイクロプロセッサを具備する。それにより、スロットルレバーの位置を正確に、強靭に且つ高い信頼性で検知することが可能になると共に、動力工具をコスト効率の高い方法で製造して組み立てる条件が提供される。更に、動力工具にコストと複雑化を大幅に引き上げることなく、幾つかの特徴と機能とを追加するための条件を有する、動力工具が提供される。
【００４２】
任意選択で、マイクロプロセッサは、ヒューマンマシンインターフェースに動作可能に接続する。それにより、動力工具にコスト及び複雑化を大幅に引き上げることなく、幾つかの特徴と機能のための条件を有する、動力工具が提供される。
【００４３】
任意選択で、回路基板は、センサ装置とマイクロプロセッサとの間においてデータを伝送するように構成された、電子通信バスを具備する。それにより、スロットルレバーの位置の正確で強靭且つ信頼性の高い検知が提供されると共に、動力工具をコスト効率の高い方法で製造及び組み立てるための条件が提供される。これは、電子通信バスが、動力工具に必要な電気接続部の数を減少させることによる。
【００４４】
任意選択で、ヒューマンマシンインターフェースは、マイクロコントローラを具備しており、そこでは回路基板は、ヒューマンマシンインターフェースのマイクロコントローラとマイクロプロセッサとの間においてデータを伝送するように構成された、電子通信バスを具備する。それにより、動力工具にコスト及び複雑化を大幅に引き上げることなく、幾つかの特徴と機能のための条件を有する、動力工具が提供される。
【００４５】
任意選択で、回路基板は、外部通信ユニットとの間でデータを送受信するように構成された、無線通信ユニットを具備する。それにより、動力工具にコスト及び複雑化を大幅に引き上げることなく、幾つかの特徴と機能のための条件を有する、動力工具が提供される。これは、動力工具が、ヒューマンマシンインターフェースに既に利用され、磁石の磁場の強度を検知するように構成されたセンサ装置に既に使用されている、回路基板を具備することによる。
【００４６】
任意選択で、回路基板は、少なくとも選択的に、回路基板に動力を供給するように構成された、電池を具備する。それにより、例えば動力工具の主動力供給部が切断されるか、オフにされるか、又は空になった時に、電池が回路基板に電力を供給してもよいので、より強靭で使い易い動力工具が提供される。
【００４７】
本発明の別の特徴及び利点は、添付の特許請求の範囲及び以下の詳細な説明を検討する時に，明らかになるであろう。
【００４８】
その特定の特徴と利点とを具備する、本発明の様々な形態は、以下の詳細な説明及び添付の図面において説明される、例示的な実施の形態から直ちに理解されるであろう。
【図面の簡単な説明】
【００４９】
【図１】図１は、幾つかの実施の形態による動力工具を示す。
【図２】図２は、図１に示される動力工具のヒューマンマシンインターフェース及びスロットルレバーの構成要素の分解図を示す。
【図３】図３は、組み立てられた状態の図２に示される構成要素を示す。
【図４】図４は、図１〜図３に示す動力工具の実施の形態の回路基板と磁石との側面図を概略的に示す。
【図５】図５は、幾つかの別の実施の形態による回路基板と磁石との側面図を概略的に示す。
【図６】図６は、図５に示される実施の形態による回路基板と磁石との断面を示す。
【図７】図７は、幾つかの別の実施の形態による回路基板と磁石との側面図を概略的に示す。
【図８】図８は、幾つかの別の実施の形態による回路基板と磁石との断面を概略的に示す。
【図９】図９は、図１に示される動力工具の回路基板と動力源と動力源制御装置とを概略的に示す。
【発明を実施するための形態】
【００５０】
次に、本発明の形態が、より十分に説明される。同様の番号は、全体を通して同様の要素を参照する。既知の機能又は構造は、簡潔及び／又は明確にするために、必ずしも詳細に説明されるとは限らない。
【００５１】
図１は、幾つかの実施の形態による動力工具１を示す。図示の実施の形態によれば、動力工具１は、工具３用の接続部４を備える長柄２を具備する、組み合わせ工具（ｃｏｍｂｉ−ｔｏｏｌ）とも呼ばれるマルチツールの形態の手持ち式動力工具である。工具３は、図１において破線で示される。ユーザーは、トリマーヘッド、ヘッジトリマー切断ユニット、チェーンソー刃等の工具３を接続部４に接続してもよい。動力工具１は、工具３に動力を供給するように配置された、動力源５を更に具備する。図示の実施の形態によれば、動力工具１は、長柄２を介して伸びるシャフトを具備しており、そこではシャフトは、動力源５から工具３に動力を伝達するように配置される。図示の実施の形態によれば、動力源５は、電気モータを具備する。動力工具１は、動力源５を収容する動力源ケーシング６を具備する。更に、動力工具１は、動力源ケーシング６内に配置された電池を具備する。電池は、動力源５の電気モータ等の動力工具１の構成要素に電気を供給するように構成される。別の実施の形態によれば、動力源５は、燃焼機関又は空気圧モータ等の別のタイプの動力源を具備してもよい。図示されたマルチツールは、本発明の例示的な実施の形態を構成しており、本発明は、添付の特許請求の範囲によってのみ定義されることが理解されるべきである。従って、本明細書の実施の形態によれば、動力工具１は、チェーンソー、丸鋸、トリマー、ヘッジトリマー、芝刈り機、リーフブロワ、除雪機等のマルチツールとは別のタイプの動力工具であってもよい。
【００５２】
図示の実施の形態によれば、動力工具１は、ユーザーの一方の手で把持されるように配置された第１のハンドル部８’と、ユーザーのもう一方の手で把持されるように配置された第２のハンドル部８”と、を具備する。第２のハンドル部８”は、ユーザーの手のひらで押圧されるように配置された安全スイッチ１２を具備する。更に、動力工具１の第２のハンドル部８”は、スロットルレバー７を具備する。図示の実施の形態によれば、スロットルレバー７は、ユーザーの１本以上の指で押圧されるように構成される。本明細書で更に説明されるように、スロットルレバー７は、ユーザーが動力源５により出力される動力を制御することを可能にする。更に、動力工具１は、ヒューマンマシンインターフェース１０、即ち物理的入力ハードウェアと物理的出力ハードウェアとを具備する、インターフェースを具備する。図示の実施の形態によれば、ヒューマンマシンインターフェース１０は、ボタン１５とディスプレイ１９とを備えた、キーパッド１７を具備する。ヒューマンマシンインターフェース１０は、ユーザーが動力工具１を設定して、動力工具１の動作モードを選択し、動力工具１の電池のエネルギ状態等をチェックできるように構成されてもよい。
【００５３】
図示の実施の形態によれば、ヒューマンマシンインターフェース１０は、第２のハンドル部８”に隣接して配置される。更に、図示の実施の形態によれば、ヒューマンマシンインターフェース１０は、第２のハンドル部８”を手で把持する際に、ヒューマンマシンインターフェース１０のボタン１５を、ユーザーの指、例えばユーザーの親指で押圧できるように配置される。従って、図示の実施の形態によれば、ヒューマンマシンインターフェース１０及びスロットルレバー７は、動力工具１において、ユーザーが片手のみを使用してヒューマンマシンインターフェース１０とスロットルレバー７とを同時に操作することを可能にする位置に配置される。
【００５４】
図２は、図１に図示される動力工具１のヒューマンマシンインターフェース１０とスロットルレバー７との構成要素の分解図を示す。図２に示されるように、動力工具１は、回路基板９を具備する。回路基板９は、第１の側部９'と第２の側部９”とを具備する。第２の側部９”は、第１の側部９'に対向する。組み立てられた状態において、ヒューマンマシンインターフェース１０の構成要素１５、１７、１９は、回路基板９の第１の側部９'に配置される。図示の実施の形態によれば、スロットルレバー７は、旋回軸部の周りで旋回するように動力工具に配置される。動力工具は、スロットルレバー７に動作するように接続された磁石１１を具備する。図示の実施の形態によれば、磁石１１は、旋回軸部から離間したホルダー１４に収容される。更に、磁石１１は、回路基板９の第２の側部９”において、回路基板９から離間して配置される。ホルダー１４は、スロットルレバー７に接続する。この様にして、スロットルレバー７の変位は、旋回軸部の周りの磁石１１の変位に変換される。従って、図示の実施の形態によれば、磁石１１は、弧に沿って移動可能に配置され、スロットルレバー７の変位により移動するように配置される。スロットルレバー７は、非作動位置と作動位置との間で変位可能である。図２において、スロットルレバー７は、非作動位置にある状態で示される。
【００５５】
図２において示されないが、動力工具は、回路基板９に配置されたセンサ装置１３を具備する。図示の実施の形態によれば、センサ装置１３は、回路基板９の第２の側部９”に配置される。センサ装置１３は、磁石１１の磁場の強度を検知するように構成される。本明細書で更に説明するように、ヒューマンマシンインターフェース１０の構成要素１５、１７、１９、並びにセンサ装置１３が、回路基板９に配置されるという事実により、幾つかの利点が得られる。更に、本明細書で更に説明するように、センサ装置１３は、磁石１１の磁場の強度を検知するように構成された、１つ、２つ、又は３つのセンサ等の１つ以上のセンサを具備してもよい。しかし、図２に示される実施の形態によれば、センサ装置１３は、磁石１１の磁場の強度を検知するようにのみ構成された、単一のセンサを具備する。
【００５６】
更に、図示の実施の形態によれば、動力工具は、機械的スイッチ２１と、スロットルレバー７に動作可能に接続されたアクチュエータ（作動機）２２と、を具備する。
アクチュエータ２２は、スロットルレバー７が非作動位置から変位した時に機械的スイッチ２１を作動させるように配置される。機械的スイッチ２１は、作動時に信号を生成するように構成される。この様にして、非作動位置からのスロットルレバー７の変位は、より信頼性の高い方法で検出可能である。図２に示されるように、動力工具は、上部カバー２７’と、下部カバー２７”と、を具備する。組み立てられた状態において、上部カバー及び下部カバー２７'、２７”は、回路基板９用の密閉された筐体を形成する。この様にして、動力工具は、簡単で且つコスト効率の良い方法で、埃、瓦礫、及び／又は水に対する耐性がより高くなる。下部カバー２７”は、ねじ、ボルト、リベット又はスナップイン（パチンと篏合留め）接続具等の１つ以上の締結要素２４を使用して上部カバー２７’に取り付けられてもよい。
【００５７】
図３は、組み立てられた状態の図２に示される構成要素を示す。図３において、密閉された筐体２７が示されており、筐体２７は、従って、図２に示される上部カバー２７’と下部カバー２７”とにより形成される、容積を構成してもよい。更に、図３に示されるように、実施の形態によれば、磁石１１及びスロットルレバー７は各々、密閉された筐体２７の外側に配置される。この様に、密閉された筐体２７を通り抜けて伸びる機械的連結部等は必要ない。
【００５８】
図４は、図２及び図３に示される実施の形態の回路基板９及び磁石１１の側面図を概略的に示す。ヒューマンマシンインターフェース１０の構成要素は、回路基板９の第１の側部９'に配置されており、センサ装置１３は、回路基板９の第２の側部９”に配置される。図示の実施の形態によれば、センサ装置１３は、磁石１１の磁場の強度を検知するように構成された単一のセンサ１３'を具備する。回路基板９は、平面ｐにおいて広がる。センサ１３’は、検知方向ｄに沿って磁石１１の磁場の強度を検知するように構成される。図示の実施の形態によれば、検知方向ｄは、平面ｐを通って伸びており、平面ｐに実質的に垂直である。この様にして、磁石１１の磁場の変化は、磁石１１の変位の際に、センサ装置１３のセンサ１３’を使用して、正確で且つ信頼性の高い方法で検知可能である。
【００５９】
磁石１１は、第１と第２の端点ｅｐ１、ｅｐ２との間の移動経路ｔｐに沿って移動方向ｄｍにおいて移動可能に配置される。図示の実施の形態によれば、センサ１３’の検知方向ｄは、磁石１１の移動経路ｔｐと交差する。更に、図示の実施の形態によれば、磁石１１は、軸方向に磁化された棒状体を具備する。磁石１１の長さＬは、移動方向ｄｍにおいて、磁石１１が第１の端点ｅｐ１から第２の端点ｅｐ２に移動する時の磁石１１の移動距離２３の、５０％〜３００％の範囲内、例えば、７５％〜２５０％の範囲内又は１００％〜２００％の範囲内であってもよい。これらの特徴により、磁石１１の変位時の磁場の変化は、その変位の際に、センサ１３’を使用して、正確で且つ信頼性の高い方法において検知可能である。
【００６０】
本明細書で更に説明されるように、本開示の幾つかの実施の形態によれば、センサ装置１３は、磁石１１の磁場の強度を検知するように構成された１つ以上のセンサ１３'を具備してもよい。幾つかの実施の形態によれば、センサ装置１３の位置において及びセンサ装置１３の少なくとも１つの検知方向ｄにおいて、磁石１１の磁場が、非作動位置から作動位置に向かうスロットルレバーの変位において、極性を変化させるように、磁石１１及びセンサ装置１３は配置される。これにより、磁石１１の位置の更により正確で強靭且つ信頼性の高い検知が提供される。これは、磁石１１の磁場の極性の変化が、磁石１１の磁場の磁場強度の変化に比べてより正確な方法で検知できることによる。極性の変化は、本明細書で言及されるように、ゼロ遷移（トランジッション）と呼ばれてもよい。
【００６１】
図４に示される実施の形態によれば、磁石１１は、スロットルレバーが非作動位置にある時に磁石１１が第１の端点ｅｐ１の位置をとるように、及びスロットルレバーが十分な作動位置にある時に第２の端点ｅｐ２をとるように、スロットルレバー７に動作可能に接続する。本開示の幾つかの実施の形態によれば、センサ装置１３の位置において及びセンサ装置１３の少なくとも１つの検知方向ｄにおいて、スロットルレバー７が非作動位置と作動位置との間でスロットルレバー７の全移動長さの５％〜２０％の範囲内の距離を変位する時に、磁石１１の磁場が極性を変化させるように、磁石１１及びセンサ装置１３は配置される。それにより、第１の端点ｅｐ１からの磁石１１の変位の更により正確で強靭且つ信頼性の高い検知が提供される。これは、磁石１１の磁場の極性の変化が、磁石１１の磁場の磁場強度の変化に比べてより正確な方法で検知可能であることによる。
【００６２】
図５は、幾つかの別の実施の形態による回路基板９及び磁石１１の側面図を概略的に示す。図５に示される構成は、以下に説明する幾つかの相違と共に、上記のものと同じ特徴と機能と利点とを具備する。図５に示される実施の形態によれば、回路基板９のセンサ装置１３は、それぞれの検知方向ｄ１、ｄ２に沿って磁石１１の磁場の強度を検知するように構成される、２つのセンサ１３'、１３”、即ち第１のセンサ１３’と第２のセンサ１３”と、を具備する。即ち、図示の実施の形態によれば、センサ装置１３は、第１の検知方向ｄ１及び第２の検知方向ｄ２に沿って磁石１１の磁場の強度を検知するように構成されており、そこでは第２の検知方向ｄ２は、第１の検知方向ｄ１とは異なる。
【００６３】
更に、図示の実施の形態によれば、磁石１１は、第１及び第２の端点ｅｐ１、ｅｐ２との間において実質的に線形の移動経路ｔｐに沿って移動可能に配置される。動力工具は、磁石１１を第１の端点ｅｐ１に向かって付勢するように配置された、ばね２５を具備する。
【００６４】
センサ装置のセンサ１３’、１３”は、第１の平面ｐ１に配置され、回路基板９は、第２の平面ｐ２において広がり、磁石１１は、第３の平面ｐ３において移動可能に配置される。第３の平面ｐ３は、第２の平面ｐ２に実質的に平行である。第１の平面ｐ１は、移動経路ｔｐに実質的に垂直であるので、従って第２と第３の平面ｐ２、ｐ３に実質的に垂直である。第１の検知方向ｄ１は、磁石１１の移動経路ｔｐの方向ｄｔと実質的に一致する方向において伸びる。従って、図示の実施の形態によれば、第１の検知方向ｄ１は、第２と第３の平面ｐ２、ｐ３に実質的に平行である。第２の検知方向ｄ２は、第２と第３の平面ｐ２、ｐ３を通って伸びており、第２と第３の平面ｐ２、ｐ３に実質的に垂直である。
【００６５】
これらの特徴により、磁石１１の位置の、より強靭で信頼性の高い検知が提供される。これは、２つの異なる検知方向ｄ１、ｄ２における磁石１１の磁場の測定を利用することにより、組み合わされた測定が、磁場の強さだけではなく、磁場の角度を示しており、磁石１１の磁場の強さの測定のみを利用する場合に比べて、変化がより少なくて且つ外乱により敏感ではないからである。
【００６６】
「実質的に平行」という表現は、本明細書において、参照される物体間の角度が５度未満であると定義されてもよい。「実質的に垂直」という表現は、本明細書において、参照される物体間の角度が８５度から９５度の範囲内にあると定義されてもよい。
【００６７】
図６は、図５に示される実施の形態による回路基板９及び磁石１１の断面を示す。図６において、断面は、第１の平面ｐ１において形成される。図６に示されるように、図示の実施の形態によれば、磁石１１の移動経路ｔｐと一致する点ｐｔにおいて第１の平面ｐ１で測定された、センサ装置１３のセンサ１３'、１３”間の角度ａ１は約９０度である。別の実施の形態によれば、磁石１１の移動経路ｔｐと一致する点ｐｔにおいて第１の平面ｐ１で測定された、センサ装置１３のセンサ１３’、１３”間の角度ａ１は、約１８０度である。その様な実施の形態によれば、並びに本明細書で説明される別の実施の形態によれば、センサ装置１３のセンサ１３’、１３”は、図５及び図６に示されるものに比べて回路基板からより遠い距離をおいて配置されてもよい。
【００６８】
別の実施の形態によれば、図５及び図６に示される実施の形態の第１と第２のセンサ１３'、１３”の検知方向ｄ１、ｄ２は、図５に示されるもの以外のものであってもよい。例えば、第１と第２のセンサ１３'、１３”は各々、第２の平面ｐ２に実質的に平行な検知方向ｄ１、ｄ２を具備してもよい。別の例として、第１と第２のセンサ１３’、１３”は各々、第２の平面ｐ２に実質的に垂直な検知方向ｄ１、ｄ２等の、第２の平面ｐ２と交差する、検知方向ｄ１、ｄ２を具備してもよい。
【００６９】
以下の図９を参照して更に説明されるように、第１と第２のセンサ１３’、１３”は各々、非作動位置からのスロットルレバーの変位を検出するように使用されてもよい。その様な実施の形態によれば、第１と第２のセンサ１３’、１３”は各々、スロットルレバーが非作動位置から変位した時に離散信号（ｄｉｓｃｒｅｔｅ  ｓｉｇｎａｌ）を生成するように構成されてもよい。スロットルレバーが非作動位置から特定の距離だけ変位した時に、第１と第２のセンサ１３'、１３”の位置において、磁石１１の磁場が極性を変えるように、磁石１１及びセンサ装置１３は配置されてもよい。非作動位置からのスロットルレバーの変位を検出するために２つのセンサ１３’、１３”を利用することにより、非作動位置からのスロットルレバーの変位の更により正確で強靭且つ信頼性の高い検知が提供される。更に、これらの実施の形態によれば、センサ装置１３は、磁場の強度を検知するように構成された、１つ以上の別のセンサを具備してもよく、そこでは、動力源の動力の制御は、１つ以上の別のセンサからのデータに基づく。
【００７０】
「約９０度」という表現は、本明細書において、８５度から９５度の範囲内の角度として定義されてもよい。「約１８０度」という表現は、本明細書において、１７５度から１８５度の範囲内の角度として定義されてもよい。
【００７１】
図７は、幾つかの別の実施の形態による回路基板９及び磁石１１の側面図を概略的に示す。図７に示される配置は、以下に説明する幾つかの相違と共に、上記のものと同じ特徴と機能と利点とを具備する。図７に示される実施の形態によれば、磁石１１は、車輪状に成形されており、軸部の周りに回転可能に配置される。軸部ａｘは、回路基板９が広がる、平面ｐに実質的に平行である。従って、磁石１１の回転平面は、回路基板９が広がる平面ｐに実質的に垂直である。磁石１１は、磁石１１の回転平面内で磁石の磁場が変化するように配置される。磁石１１は、スロットルの変位が磁石１１の回転に変換されるように、動力工具のスロットルレバーに動作可能に接続する。図示の実施の形態によれば、センサ装置１３は、回路基板９が広がる平面ｐに実質的に平行な検知方向ｄにおいて磁石１１の磁場を検知するようにのみ構成された、１つのセンサ１３'を具備する。しかしながら、これらの実施の形態においてもまた、センサ装置１３は、各々が磁石１１の磁場を検知するように構成された、２つ以上のセンサを具備してもよい。
【００７２】
図８は、幾つかの別の実施の形態に従う回路基板９及び磁石１１の断面を概略的に示す。図８に示される実施の形態によれば、センサ装置１３は、３つのセンサ１３’、１３”、１３’”を具備する。センサ１３’、１３”、１３”’は、回路基板９が広がる第２の平面ｐ２に実質的に垂直な第１の平面ｐ１に配置される。図８の断面は、第１の平面ｐ１により形成される。第１の平面ｐ１は、磁石１１の移動経路ｔｐに垂直である。図８に示されるように、図示の実施の形態によれば、磁石１１の移動経路ｔｐと一致する点ｐｔにおいて第１の平面ｐ１で測定された、３つのセンサ１３'、１３”、１３”’の内の２つの隣接するセンサ１３'、１３”、１３”’間の角度ａ２は、約９０度である。別の実施の形態によれば、磁石１１の移動経路ｔｐと一致する点ｐｔにおいて第１の平面ｐ１で測定された、３つのセンサ１３'、１３”、１３”’の内の２つの隣接するセンサ１３'、１３”、１３”’間の角度ａ２は、約１２０度である。これらの特徴により、外乱に対する感度がより低いセンサ装置１３が提供される。「約１２０度」という表現は、本明細書において、１１５度から１２５度の範囲内の角度として定義されてもよい。
【００７３】
幾つかの実施の形態によれば、３つのセンサ１３’、１３”、１３”’は各々、別個の検知方向を具備してもよい。更に、３つのセンサ１３’、１３”、１３”’は各々、第２の平面ｐ２に実質的に平行な検知方向を具備してもよい。別の方法として、３つのセンサ１３’、１３”、１３”’は各々、第２の平面ｐ２に実質的に垂直な検知方向等の、第２の平面ｐ２と交差する検知方向を具備してもよい。
【００７４】
以下の図９を参照して更に説明されるように、３つのセンサ１３’、１３”、１３”’は各々、非作動位置からのスロットルレバーの変位を検出するように使用されてもよい。その様な実施の形態によれば、３つのセンサ１３’、１３”、１３”’は各々、スロットルレバーが非作動位置から変位した時に離散信号を生成するように配置されてもよい。磁石１１及びセンサ装置１３は、スロットルレバーが非作動位置から変位した時に、３つのセンサ１３'、１３”、１３”’の位置において、磁石１１の磁場が極性を変えるように配置されてもよい。非作動位置からのスロットルレバーの変位を検出する３つのセンサ１３’、１３”、１３”’を利用することにより、非作動位置からのスロットルレバーの変位の更により正確で強靭且つ信頼性の高い検知が提供される。更に、これらの実施の形態によれば、センサ装置１３は、磁場の強度を検知するように構成された、１つ以上の別のセンサを具備してもよく、そこでは、動力源の動力の制御は、１つ以上の別のセンサからのデータに基づく。
【００７５】
図９は、図１に示される動力工具１の回路基板９と動力源５と動力源制御装置３１とを概略的に示す。以下では、図１と図２と図４と図９とを同時に参照する。図９に示すように、動力工具１は、回路基板９に配置された制御ユニット２９を具備する。制御ユニット２９は、センサ装置１３からのデータに基づいてスロットルレバー７の位置をチェックするように構成される。制御ユニット２９は、センサ装置１３の１つ以上のセンサ１３'、１３”、１３”’に動作可能に接続しており、センサ装置１３の１つ以上のセンサ１３'、１３”、１３”’からのデータに基づいて、スロットルレバー７の位置をチェックするように構成される。
【００７６】
図示の実施の形態によれば、制御ユニット２９は、マイクロプロセッサ３３を具備する。従って、図示の実施の形態によれば、回路基板９は、マイクロプロセッサベースの回路基板である。更に、回路基板９は、センサ装置１３とマイクロプロセッサ３３との間でデータを伝送するように構成された、電子通信バス３５を具備する。即ち、図示の実施の形態によれば、制御ユニット２９は、電子通信バス３５を介してセンサ装置１３に動作可能に接続する。これらの実施の形態によれば、センサ装置１３は、マイクロプロセッサを具備してもよい。
【００７７】
更に、制御ユニット２９は、動力源制御装置３１に動作可能に接続する。制御ユニット２９は、スロットルレバー７の位置を表す信号を動力源制御装置３１に出力するように構成される。動力源制御装置３１は、スロットルレバー７の位置に応じて動力源５の動力を制御するように構成される。図示の実施の形態によれば、動力工具１は、制御ユニット２９と動力源制御装置３１との間でデータを伝送するように構成された、電子通信バス３２を具備する。従って、制御ユニット２９は、電子通信バス３２を介して動力源制御装置３１に動作可能に接続する。
【００７８】
更に、図示の実施の形態によれば、制御ユニット２９のマイクロプロセッサ３３は、ヒューマンマシンインターフェース１０に動作可能に接続する。ヒューマンマシンインターフェース１０は、マイクロコントローラ３７を具備しており、回路基板９は、ヒューマンマシンインターフェース１０のマイクロコントローラ３７と制御ユニット２９のマイクロプロセッサ３３との間でデータを伝送するように構成された、電子通信バス３９を具備する。従って、制御ユニット２９のマイクロプロセッサ３３は、電子通信バス３９を介してヒューマンマシンインターフェース１０に動作可能に接続する。
【００７９】
更に、図示の実施の形態によれば、回路基板９は、外部通信ユニット４３との間でデータを送受信するように構成された、無線通信ユニット４１を具備する。図示の実施の形態によれば、制御ユニット２９のマイクロプロセッサ３３は、電子通信バス３６を介して無線通信ユニット４１に動作可能に接続する。従って、無線通信ユニット４１は、外部通信ユニット４３にデータを無線で送信し、及び／又は外部通信ユニット４３からデータを受信するように構成される。無線通信は、例えば、インターネット又は無線ローカルエリアネットワーク（ＷＬＡＮ）等のワイヤレス接続を介して、あるいは短波長、すなわち、例えばブルートゥース（登録商標）の２．４〜２．４８５ＧＨｚの産業的で科学的で且つ医療用（ＩＳＭ）の帯域の極超短波（ＵＨＦ）の電波、を使用して短距離でデータを交換するためのワイヤレス接続を介して、実行されてもよい。外部通信ユニット４３は、例えば、無線ネットワークルータ、例えばＷｉ-Ｆｉルータ、又は携帯電話であってもよい。
【００８０】
上記で参照され、図９に示される、１つ以上の電子通信バス３２、３５、３６、３９は、単一の電子通信バス、又は単一の通信バスシステムにより構成されてもよい。更に、簡潔で且つ明確にするために、回路基板９の構成要素は、図９の回路基板９の同じ側に示される。しかし、センサ装置１３及びヒューマンマシンインターフェース１０等、回路基板９の幾つかの構成要素は、回路基板９の反対側に配置されてもよい。
【００８１】
１つ以上の電子通信バス３２、３５、３６、３９を使用することにより、ケーブルの数が大幅に削減され、更に動力工具１のコスト及び複雑化を大幅に引き上げることなく、幾つかの高度な機能を動力工具１に実装することができる。更に、ケーブルの数を減らすことにより、より強靭且つ信頼性の高い動力工具１が提供される。更に、制御ユニット２９は、図９に示されるものとは別の、１つ以上のシステム及び構成要素に動作可能に接続されてもよい。一例として、制御ユニット２９は、１つ以上の補助ボタン、アクチュエータ、安全スイッチ１２等に動作可能に接続してもよい。
【００８２】
本明細書において更に説明されるように、本開示の幾つかの実施の形態によれば、センサ装置１３は、少なくとも２つのセンサ１３’、１３”を具備する。その様な実施の形態によれば、制御ユニット２９は、少なくとも２つのセンサ１３’、１３”からのデータを使用して、非作動位置からのスロットルレバー７の変位を検出するように構成されてもよい。それにより、スロットルレバー７の非作動位置からの変位の更により正確で強靭且つ信頼性の高い検知が提供される。別の結果として、より安全な動力工具１が、費用効率の高い方法で提供可能である。
【００８３】
図９に示される実施の形態によれば、回路基板９は、少なくとも選択的に、回路基板９に電力を供給するように構成された、電池４５を具備する。電池４５は、例えば、動力工具１の主動力供給部が切断されるか、オフにされるか、又は空であるかの場合に、回路基板９に電力を供給してもよい。電池４５用のホルダー４６が、図２に示される。
【００８４】
本明細書において参照されるセンサ装置１３の１つ以上のセンサ１３’、１３”、１３”は各々、ホール効果センサ、巨大磁気抵抗センサ等を具備してもよい。巨大磁気抵抗センサは、ＧＭＲセンサと呼ばれることもある。
【００８５】
上に示したように、本開示の実施の形態によれば、動力工具１は、デブリブロワ、リーフブロワ、スノーブロワ等のブロワであってもよい。その様な実施の形態によれば、本明細書において参照される工具３は、ファンとファンケーシングとを具備してもよい。
【００８６】
本明細書において参照される磁石１１は、軸方向に磁化された棒状体を具備してもよい。更に、本明細書において参照される磁石１１は、ＮｄとＦｅとＢの合金からなり、ＮｄＦｅＢ、ＮＩＢ又はＮｅｏ磁石としても知られるネオジム磁石、又はサマリウムとコバルトの合金からなるＳｍＣｏ磁石としても知られる、サマリウム−コバルト磁石等の、希土類磁石を有してもよい。更に、幾つかの実施の形態によれば、磁石１１は、希土類磁石粉末等のプラスチックボンド磁石粉末を有してもよい。
【００８７】
制御ユニット２９は演算装置を備える。前記演算装置は、実質的にあらゆるタイプの適切なプロセッサ回路又はマイクロコンピュータ、例えば、デジタル信号処理用の回路（デジタル信号プロセッサ、ＤＳＰ）、中央演算処理装置（ＣＰＵ）、プロセシング・ユニット、処理回路、プロセッサ、特定用途向け集積回路（ＡＳＩＣ）、マイクロプロセッサ、又は命令を解釈して実行することが可能な他の処理論理回路、の形態にしてもよい。本明細書において利用される表現「演算装置」は、例えば、上記のいずれか、幾つか又は全てのもの等の複数の処理回路を具備する、処理回路構成を表すものであっても良い。
【００８８】
制御ユニット２９は、記憶装置（ｍｅｍｏｒｙ  ｕｎｉｔ）を更に具備してもよく、前記演算装置は、記憶装置に接続してもよく、例えば、記憶装置は、計算することを可能にさせる必要があるかもしれない記憶されたプログラムコード及び／又は記憶されたデータを演算装置に提供してもよい。演算装置はまた、計算の部分的又は最終的な結果を記憶装置に記憶するように用いられてもよい。記憶装置は、一時的又は永続的な方式で、データ又はプログラム、即ち、一連の命令を記憶するように利用される、物理的デバイスを具備してもよい。幾つかの実施の形態によれば、記憶装置は、シリコンベースのトランジスタを備える集積回路を具備してもよい。記憶装置は、異なる実施の形態において、例えば、メモリカード、フラッシュメモリ、ＵＳＢメモリ、ハードディスク、又は、データを記憶するための別の同様の揮発性又は不揮発性記憶装置、例えば、ＲＯＭ（Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  ＰＲＯＭ）、ＥＥＰＲＯＭ（Ｅｌｅｃｔｒｉｃａｌｌｙ  Ｅｒａｓａｂｌｅ  ＰＲＯＭ）等、を具備してもよい。
【００８９】
制御ユニット２９は、入力及び出力信号を受信及び／又は送信するために動力工具１の構成要素に接続する。これらの入力及び出力信号は、波形、パルス、又は入力信号受信デバイスが情報として検出可能であって且つ制御ユニット２９により処理可能な信号に変換可能な別の特性を具備してもよい。これらの信号は、その後、演算装置に送信されてもよい。１つ以上の出力信号送信デバイスは、演算装置からの計算結果を変換して、動力工具１の制御システムの別の部分及び／又は、信号が意図される１つ以上の構成要素に、伝達するための信号を出力するように構成されてもよい。入力信号及び出力信号を送受信するための動力工具１のそれぞれの構成要素への各接続部は、ケーブル、電子通信バス、又は無線接続部の中から１つ以上の形態であってもよい。
【００９０】
図示の実施の形態において、動力工具１は、制御ユニット２９を具備するが、しかしこれとは別に、２つ以上の制御構成又は２つ以上の制御ユニットにおいて、全体的又は部分的に実現されてもよいであろう。
【００９１】
本明細書において更に説明されるように、動力工具１の異なる電子ユニットは、１つ以上の電子通信バス（ｅｌｅｃｒｏｎｉｃ  ｃｏｍｍｕｎｉｃａｔｉｏｎ  ｂｕｓ）３２、３５、３６、３９を介して相互に接続してもよい。従って、異なる電子ユニットは、１つ以上の電子通信バス３２、３５、３６、３９を介して相互に通信してもよい。１つ以上の電子通信バス３２、３５、３６、３９は、ＣＡＮ（Ｃｏｎｔｒｏｌｌｅｒ  Ａｒｅａ  Ｎｅｔｗｏｒｋ）バス等のバスアーキテクチャを有してもよい。異なる電子ユニットは、１つ以上の電子通信バス３２、３５、３６、３９に接続する、多数のＥＣＵ（Ｅｌｅｃｔｒｏｎｉｃ  Ｃｏｎｔｒｏｌ  Ｕｎｉｔ）又はノードを具備してもよい。各ＥＣＵは、動力工具１の１つのサブシステム、又は限られた数の関連サブシステムを制御するように構成されてもよい。各ＥＣＵは、データを計算するように構成されてもよい。従って、１つのＥＣＵにより計算されたデータは、電子通信バス３２、３５、３６、３９に接続する、別の全てのＥＣＵにアクセス可能であってもよい。
【００９２】
前述の事項は、様々な例示的な実施の形態の例示であり、本発明は、添付の特許請求の範囲によってのみ定義されることが、理解されるべきである。例示的な実施の形態が修正されてもよいことと、例示的な実施の形態の異なる特徴が、添付の特許請求の範囲に定義されるように、本発明の範囲から逸脱することなく、本明細書に記載されるもの以外の実施の形態を作成するように組み合わせられてもよいことと、を当業者は理解するであろう。
【００９３】
本明細書において使用されるように、「具備すること」又は「具備する」という用語は、制限のない形式であり、１つ以上の記載された特徴、要素、手順、構成要素又は機能を具備するが、しかし１つ以上の別の特徴、要素、手順、構成要素、機能、又はそれらのグループの存在又は追加を排除するものではない。
【図１】
2021530364.tif 000003
【図２】
2021530364.tif 000004
【図３】
2021530364.tif 000005
【図４】
2021530364.tif 000006
【図５】
2021530364.tif 000007
【図６】
2021530364.tif 000008
【図７】
2021530364.tif 000009
【図８】
2021530364.tif 000010
【図９】
2021530364.tif 000011
【国際調査報告】
2021530364.tif 000012
2021530364.tif 000013
2021530364.tif 000014
2021530364.tif 000015